(57)【要約】【課題】人が手に持って泡消火液容器の中に挿入操作し易い泡消火設備用ピックアップチューブを数少ない部品点数で容易にかつ低コストで組み立てることができるようにする。【解決手段】泡ノズル本体４の吸込・混合部５に接続され、先端部が泡消火液容器の中に挿入されて泡消火液を吸い上げて吸込・混合部５に導通させるゴム管２１よりなる泡消火設備用ピックアップチューブ２０において、ゴム管２１の先端にストレーナ２４を内蔵したストレーナ保持金具２６が挿入され、ゴム管２１の先端から途中位置までの間の外周が金属製の把手管２３で被覆される。【選択図】　　　図１
2004136028.tif 000002
【特許請求の範囲】
【請求項１】
吸込・混合部を有する泡ノズルの前記吸込・混合部に接続され、先端部が泡消火液容器の中に挿入されて泡消火液を吸い上げて前記吸込・混合部に導通させるゴム管よりなる泡消火設備用ピックアップチューブを有し、前記ゴム管の先端にストレーナを内蔵したストレーナ保持金具が挿入され、前記ゴム管の先端から途中位置までの間の外周が金属製の把手管で被覆されていることを特徴とする、泡消火設備用泡ノズル。
【請求項２】
前記把手管が長尺状の金属管で形成されている、請求項１記載の泡消火設備用泡ノズル。
【発明の詳細な説明】
【０００１】
【発明の属する技術分野】
本発明は、泡消火設備のライン・プロポーショナーに使用される泡ノズルのピックアップチューブの改良に関する。
【０００２】
【従来の技術】
船舶等の泡消火設備のライン・プロポーショナーにおいて、図２に示すように、加圧送水装置を通過して消火水を圧送する送水管１の途中に消火栓２を介して消防ホース３を接続し、この消防ホース３の先端部に泡ノズル本体４を吸込・混合部５を介して接続し、ゴム管よりなるピックアップチューブ（吸込管）６の後端部を吸込・混合部５に接続し、ピックアップチューブ６の先端部を泡消火液容器７の中に挿入する。かくして、泡消火液容器７内の泡消火液をピックアップチューブ６を介して吸込・混合部５に吸い上げ、消火水と混合して所定濃度の泡水溶液を得、この泡水溶液を空気と混合攪拌して泡を生成し、泡ノズル本体４の先端から放出する、というものである（例えば、非特許文献１、２参照。）。因みに、吸込・混合部５による吸込み作用については、消防ホース３からの消火水が吸込・混合部５に流れると吸込・混合部５内のベンチュリ喉部において静圧が低くなるためピックアップチューブ６内との圧力差が生じ、泡消火液容器７内の泡消火液は吸込・混合部５に引き込まれるのである。
【０００３】
【非特許文献１】
改定新版「消防機器便覧」、東京消防機器研究会　平成８年１１月３０日発行、第６章　泡消火設備　６．３　発泡器の構造、機能　１２．６０図
【非特許文献２】
消防設備法令研究会編集、「建築・消防法令図説便覧」消防設備編、第一法規、第一章消防用設備　第一節　消火設備　＜泡消火設備＞令一五条関係
八四七の六ページ　［図消二七］（第１図　ライン・プロポーショナー）
【０００４】
【発明が解決しようとする課題】
上記のゴム管よりなるピックアップチューブ６としては、例えば、図３に示すようなものがある。このピックアップチューブ６は、これの先端部に接続金具９の後端スリーブ部９ａを挿入し、この接続金具９と長尺の金属管１０の後端部とをスリーブ継手１１で結合し、金属管１０の先端部に、泡消火液中の挟雑物を濾過するためのストレーナ１２を内蔵した筒形状のストレーナ保持金具１３をねじ込み結合してなる。なお、吸込・混合部５の前端側は泡ノズル本体４の後端部にねじ込み固定され、吸込・混合部５の後端側には、消火水中の挟雑物を濾過するための濾過網１４を内蔵したカップリング１５がねじ込み固定され、このカップリング１５をもって図２に示すごとき消防ホース３の先端部と連結される。
【０００５】
このように、ストレーナ１２を内蔵したストレーナ保持金具１３とピックアップチューブ６の先端部との間が固くて持ち易い金属管１０で連結構成されていると、人が手に金属管１０を持って先端のストレーナ部分を泡消火液容器７の中に挿入する操作が容易に行える。また金属管１０として長尺のものが使用されていると、これが錘代わりにもなるためストレーナ保持金具１３が不測に泡消火液中で浮力により浮くようなことがない。
【０００６】
しかるに、ピックアップチューブ６の先端部とストレーナ保持金具１３とを金属管１０をもって連結する上記ピックアップチューブ６では、その金属管１０とピックアップチューブ６の先端部との結合に際し接続金具９及びスリーブ継手１１等の部品を要するため部品点数や組立て工数の増大を招き、またコスト高にもなっていた。
【０００７】
本発明の目的は、上記のような問題を解消するためになされたものであり、人がピックアップチューブを手に持って泡消火液容器の中に挿入する操作容易性を確保し得ながら数少ない部品点数で容易にかつ低コストで組み立てることのできる泡消火設備用ピックアップチューブを提供することにある。
【０００８】
【課題を解決するための手段】
本発明は、吸込・混合部を有する泡ノズルの前記吸込・混合部に接続され、先端部が泡消火液容器の中に挿入されて泡消火液を吸い上げて前記吸込・混合部に導通させるゴム管よりなる泡消火設備用ピックアップチューブを有し、前記ゴム管の先端にストレーナを内蔵したストレーナ保持金具が挿入され、前記ゴム管の先端から途中位置までの間の外周が金属製の把手管で被覆されていることに特徴を有するものである。この場合において、前記把手管は長尺状の金属管で形成することができる。
【０００９】
【作用】
上記構成のゴム管よりなるピックアップチューブは、ゴム管の先端から途中位置までの間の外周が金属製の把手管で被覆され、この把手管で被覆されたゴム管の先端から途中位置までの間の領域部分は屈曲するようなことがなくて硬直性を保持するので、ゴム管の撓み易さによる泡消火液容器への挿入操作の困難性を補うことができる。したがって、人が手に把手管を持つことによってゴム管先端のストレーナ部分を泡消火液容器の中に容易に挿入操作できる。また金属製の把手管はゴム管の先端から途中位置までの間の領域部分の補強機能をも発揮する。
【００１０】
組立てに際してはゴム管の先端から途中位置までの間の外周を把手管で被覆するだけで足り、接続金具や継手等の部品を不要とするため容易に組み立てられることになる。
【００１１】
【発明の実施の形態】
以下、本発明に係る泡消火設備用ピックアップチューブの好適な実施形態を図面に基づき説明する。
【００１２】
図１に示すように、ピックアップチューブ２０は泡ノズル本体４の吸込・混合部５に接続される。泡ノズル本体４及び吸込・混合部５それ自体の基本的構造は上述した図３に示す泡ノズル本体４及び吸込・混合部５の構造とほぼ同一であるので、同一符合を付するをもってその詳細な説明を省略する。
【００１３】
ピックアップチューブ２０はゴム管２１からなり、このゴム管２１の後端部が泡ノズル本体４の吸込・混合部５に接続金具２２を介して接続される。
ゴム管２１の先端から途中位置までの間の外周は、長尺状の金属管をゴム管２１の先端から挿入したり、金属板を巻きつけたりすることによって金属製の把手管２３で被覆される。そして、ゴム管２１の先端には、泡消火液中の挟雑物を濾過するためのストレーナ２４を内蔵しＣ型穴用止め輪２５で固定したストレーナ保持金具２６の後端スリーブ部２６ａが挿入固定される。
【００１４】
その際、ストレーナ保持金具２６の後端スリーブ部２６ａに対応するゴム管２１の先端部の外周個所において、把手管２３の先端部２３ａを縮径状にかしめることでゴム管２１の先端部２１ａをストレーナ保持金具２６に対し強く締め付けることもできる。これにより把手管２３はゴム管２１の先端部２１ａをストレーナ保持金具２６に対し締め付ける機能を兼備することができる。
【００１５】
このように構成されたピックアップチューブ２０は、人が手にゴム管２１を被覆した把手管２３を持つことによってストレーナ２４を有する先端部を泡消火液容器７（図３参照）の中に容易に挿入操作できる。また、把手管２３として長尺状の金属管が使用されていると、把手管２３が錘機能を発揮するため、ストレーナ保持金具２６が不測に泡消火液中で浮力により浮くようなことがない。
【００１６】
なお、ピックアップチューブ２０の先端部を泡消火液容器７の中に挿入することにより、泡消火液を泡ノズル本体４の吸込・混合部５に吸い上げ、消火水と混合して所定濃度の泡水溶液を得、この泡水溶液を空気と混合攪拌して泡を生成し、泡ノズル本体４の先端から放出することができることは従来通りである。
【００１７】
【発明の効果】
本発明によれば、ゴム管の先端から途中位置までの外周を金属製の把手管で覆うという簡単な手段で、人が手に把手管を持ってピックアップチューブのストレーナを有する先端部を泡消火液容器の中に挿入操作し易く、しかも接続金具や継手等の部品を不要として把手管のみの数少ない部品点数で容易に組み立てることができ、またコスト削減を図ることができるという利点がある。
【図面の簡単な説明】
【図１】本発明の一実施例を示す泡消火設備用の泡ノズルおよびピックアップチューブの断面図である。
【図２】泡消火設備用ピックアップチューブの使用態様例を示す概略図である。
【図３】従来例の泡消火設備用の泡ノズルおよびピックアップチューブの断面図である。
【符号の説明】
４　泡ノズル本体
５　吸込・混合部
２０　ピックアップチューブ
２１　ゴム管
２３　把手管
２４　ストレーナ
２６　ストレーナ保持金具
【図１】
2004136028.tif 000003
【図２】
2004136028.tif 000004
【図３】
2004136028.tif 000005